(57)【要約】【課題】バックライト制御システムの配線構造を単純化し、バックライト制御システムの製造コストを低減する。【解決手段】バックライト制御システム（１）は、複数の発光素子（１１）のそれぞれを指定された輝度で発光するように駆動する発光駆動部（２０）を複数備えており、複数の発光素子（１１）のそれぞれから発せられる光を受光する受光素子（３１）を有する測定部（３０）を複数備えており、隣接する２つの測定部（３０）の間において、前段の測定部（３０）の出力が後段の測定部（３０）の入力に接続されている構成を具備する。【選択図】図１
2019200934.tif 000002
【特許請求の範囲】
【請求項１】
複数の発光素子により構成されるバックライトを制御するバックライト制御システムであって、
複数の前記発光素子のそれぞれについて、指定された輝度で発光するように駆動する発光駆動部を複数備えており、
複数の前記発光素子のそれぞれから発せられる光を受光する受光素子を有し、当該光の輝度を測定する測定部を複数備えており、
隣接する２つの前記測定部の間において、前段の前記測定部の出力が後段の前記測定部の入力に接続されている構成を具備することを特徴とするバックライト制御システム。
【請求項２】
複数の前記測定部のそれぞれによって測定された輝度に基づいて、前記発光駆動部を制御する制御部をさらに備え、
前記制御部が前記測定部と通信することが可能であることを示すイネーブル信号が流れる配線によって、隣接する２つの前記測定部の間が接続されている構成をさらに具備することを特徴とする請求項１に記載のバックライト制御システム。
【請求項３】
複数の発光素子により構成されるバックライトを制御するバックライト制御システムであって、
複数の前記発光素子のそれぞれについて、指定された輝度で発光するように駆動する発光駆動部を複数備えており、
複数の前記発光素子のそれぞれから発せられる光を受光する受光素子を有し、当該光の輝度を測定する測定部を複数備えており、
隣接する２つの前記発光駆動部の間において、前段の前記発光駆動部の出力が後段の前記発光駆動部の入力に接続されている構成を具備することを特徴とするバックライト制御システム。
【請求項４】
複数の前記測定部のそれぞれによって測定された輝度に基づいて、前記発光駆動部を制御する制御部をさらに備え、
前記制御部が前記発光駆動部と通信することが可能であることを示すイネーブル信号が流れる配線によって、隣接する２つの前記発光駆動部の間が接続されており、
前記測定部は、前記イネーブル信号が流れる配線から分岐する配線と接続されている構成をさらに具備することを特徴とする請求項３に記載のバックライト制御システム。
【請求項５】
前記測定部の電力は、前記イネーブル信号が流れる配線から分岐する配線によって供給される構成をさらに具備することを特徴とする請求項４に記載のバックライト制御システム。
【請求項６】
前記発光駆動部は、前記発光素子を駆動するための駆動回路と、前記測定部からのデータを受信するための受信回路とを有する構成をさらに具備し、
前記発光駆動部に前記発光素子の発光、及び前記測定部によって測定される輝度の測定開始を指示する制御信号を送信する制御部をさらに備えることを特徴とする請求項３に記載のバックライト制御システム。
【請求項７】
前記測定部によって測定された輝度のデータは、前記発光駆動部を介して前記制御部に送信される構成をさらに具備することを特徴とする請求項６に記載のバックライト制御システム。
【請求項８】
前記発光駆動部は、前記測定部と接続されている構成をさらに具備することを特徴とする請求項７に記載のバックライト制御システム。
【発明の詳細な説明】
【技術分野】
【０００１】
本発明はバックライト制御システムに関する。
【背景技術】
【０００２】
発光素子の光量を調整することにより、液晶パネルの表面全体で均一に光を出射するバックライトが従来技術として知られている。このようなバックライトとして、例えば、特許文献１に開示されているバックライトが挙げられる。
【０００３】
当該バックライトは、それぞれ互いに異なる色の光を発する複数種類の発光素子を有し、各色の光の混色により所定色の発光を行う光源モジュールが複数組み合わされて構成される。当該光源モジュールは、発光素子から発せられた光を受光してその光の強さを測定する受光センサと、受光センサの測定結果に基づいて発光素子の出力を制御することにより色補正を行う色補正回路とを備える。
【先行技術文献】
【特許文献】
【０００４】
【特許文献１】特開２００７−２１４０５３号公報（２００７年８月２３日公開）
【発明の概要】
【発明が解決しようとする課題】
【０００５】
特許文献１に開示されているバックライトでは、液晶パネルが大型である場合、受光素子を複数設ける必要がある。このため、受光センサの測定結果を色補正回路に送信する配線が複数必要になるため、バックライトの配線構造が複雑になり、バックライトの製造コストが高くなるという問題がある。
【０００６】
本発明の一態様は、バックライト制御システムの配線構造を単純化し、バックライト制御システムの製造コストを低減することを目的とする。
【課題を解決するための手段】
【０００７】
上記の課題を解決するために、本発明の一態様に係るバックライト制御システムは、複数の発光素子により構成されるバックライトを制御するバックライト制御システムであって、複数の前記発光素子のそれぞれについて、指定された輝度で発光するように駆動する発光駆動部を複数備えており、複数の前記発光素子のそれぞれから発せられる光を受光する受光素子を有し、当該光の輝度を測定する測定部を複数備えており、隣接する２つの前記発光駆動部の間において、前段の前記発光駆動部の出力が後段の前記発光駆動部の入力に接続されている構成を具備する。
【発明の効果】
【０００８】
本発明の一態様によれば、バックライト制御システムの配線構造を単純化し、バックライト制御システムの製造コストを低減することができる。
【図面の簡単な説明】
【０００９】
【図１】本発明の実施形態１に係るバックライト制御システムの内部構成を示す図である。
【図２】図１に示すバックライト制御システムの測定部の内部構成を示す図である。
【図３】図１に示すバックライト制御システムを液晶パネルが配置されている側から見た模式図である。
【図４】本発明の実施形態２に係るバックライト制御システムの内部構成を示す図である。
【図５】本発明の実施形態３に係るバックライト制御システムの内部構成を示す図である。
【図６】本発明の実施形態４に係るバックライト制御システムの内部構成を示す図である。
【図７】本発明の実施形態５に係るバックライト制御システムの内部構成を示す図である。
【図８】図７に示すバックライト制御システムの変形例の内部構成を示す図である。
【発明を実施するための形態】
【００１０】
〔実施形態１〕
（バックライト制御システム１の内部構成）
図１は、本発明の実施形態１に係るバックライト制御システム１の内部構成を示す図である。図２は、図１に示すバックライト制御システム１の測定部３０の内部構成を示す図である。図３は、図１に示すバックライト制御システム１を液晶パネル（図示せず）が配置されている側から見た模式図である。バックライト制御システム１は、図１に示すように、バックライト１０、複数の発光駆動部２０、複数の測定部３０、制御部４０、及び電源５０を備えている。バックライト制御システム１は、バックライト１０を制御するシステムである。
【００１１】
バックライト１０は、複数の発光素子１１により構成される。発光素子１１としては、例えば、ＬＥＤ（Light Emitting Diode）が挙げられる。各発光素子１１は、電源５０に接続されており、電源５０から電力を供給される。バックライト１０は、例えば、液晶パネル（図示せず）の裏側に配置されており、液晶パネルに対して裏側から光を照射する。
【００１２】
発光駆動部２０は、複数の発光素子１１と接続しており、複数の発光素子１１のそれぞれについて、制御部４０によって指定された輝度で発光するように駆動する。また、隣接する２つの発光駆動部２０の間において、前段の発光駆動部２０の出力Ｄｏｕｔが後段の発光駆動部２０の入力Ｄｉｎに接続されている。
【００１３】
具体的には、図１に示すように、例えば、隣接する２つの発光駆動部２０＿１・２０＿２の間において、前段の発光駆動部２０＿１の出力Ｄｏｕｔが後段の発光駆動部２０＿２の入力Ｄｉｎに接続されている。つまり、隣接する２つの発光駆動部２０の間の接続は、カスケード接続となる。カスケード接続とは、一方の出力と他方の入力とを縦続に接続することである。
【００１４】
また、複数の発光駆動部２０はそれぞれ、制御部４０の端子ＤＤから延びる配線ＤＤ１、及び制御部４０の端子ＣＬＤから延びる配線ＣＬＤ１と接続している。最も前段の発光駆動部２０＿１の入力Ｄｉｎは、制御部４０の端子ＥＮＤと接続している。
【００１５】
測定部３０は、複数の発光素子１１のそれぞれから発せられる光を受光する受光素子３１を有し、当該光の輝度を測定する。受光素子３１としては、例えば、ＰＤ（Photo Diode）が挙げられる。また、隣接する２つの測定部３０の間において、前段の測定部３０の出力Ｐｏｕｔが後段の測定部３０の入力Ｐｉｎに接続されている。
【００１６】
具体的には、図１に示すように、例えば、隣接する２つの測定部３０＿１・３０＿２の間において、前段の測定部３０＿１の出力Ｐｏｕｔが後段の測定部３０＿２の入力Ｐｉｎに接続されている。最も前段の測定部３０＿１の入力Ｐｉｎは、制御部４０の端子ＤＰＯと接続している。つまり、隣接する２つの測定部３０の間の接続は、カスケード接続となる。
【００１７】
また、複数の測定部３０はそれぞれ、制御部４０の端子ＥＮＰから延びる配線ＥＮＰ１、及び制御部４０の端子ＣＬＰから延びる配線ＣＬＰ１と接続している。最も後段の測定部３０の出力Ｐｏｕｔは、制御部４０の端子ＤＰＩと接続している。
【００１８】
さらに、測定部３０は、図２に示すように、受光素子３１、ＡＤ（Analog-Digital）変換器３２、内部レジスタ３３、及びシフトレジスタ３４を備えている。受光素子３１は、複数の発光素子１１のそれぞれから発せられる光を受光し、受光した光を電流に変換する。
【００１９】
ＡＤ変換器３２は、受光素子３１から出力されるアナログデータをデジタルデータに変換し、変換したデジタルデータを内部レジスタ３３に記憶する。ＡＤ変換器３２によって変換されたデジタルデータは、受光素子３１が受光した光の輝度のデータである。つまり、内部レジスタ３３には、当該輝度のデータが記憶される。シフトレジスタ３４は、測定部３０の入力Ｐｉｎ及び出力Ｐｏｕｔと接続されている。
【００２０】
（バックライト制御システム１の液晶パネル側の構成）
バックライト制御システム１の液晶パネル側は、ｍ×ｎ（ｍ、ｎは自然数）の領域に分割されている。例えば、図３に示すように、バックライト制御システム１の液晶パネル側は、４×６の領域に分割されているものとする。この４×６の領域のうち１つの領域には、例えば、赤色（Ｒ）、緑色（Ｇ）、青色（Ｂ）の光をそれぞれ発光する３個の発光素子１１が設けられている。なお、この４×６の領域のうち１つの領域には、１個の発光素子１１が設けられていてもよい。
【００２１】
この４×６の領域全体には、６つの発光駆動部２０が設けられていてもよい。この６つの発光駆動部２０はそれぞれ、（ｘ、ｙ）＝（１〜２、１〜２）、（１〜２、３〜４）、（１〜２、５〜６）、（３〜４、１〜２）、（３〜４、３〜４）、及び（３〜４、５〜６）に該当する領域に設けられた１２個の発光素子１１を駆動する。ｘとは４×６の領域全体において行を示し、ｙとは４×６の領域全体において列を示す。例えば、ある１つの発光駆動部２０は、（ｘ、ｙ）＝（１〜２、１〜２）に該当する領域に設けられた１２個の発光素子１１を駆動する。
【００２２】
つまり、４×６の領域は、発光駆動部２０によって２×３の領域に分割される。この２×３の領域それぞれの中央には受光素子３１が設けられている。これにより、受光素子３１は、２×３の領域のうち１つの領域内に設けられた１２個の発光素子１１のそれぞれから発せられる光を受光することができる。
【００２３】
（制御部４０の処理）
制御部４０は、端子ＥＮＤ・ＤＤ・ＣＬＤ・ＤＰＯ・ＥＮＰ・ＣＬＰ・ＤＰＩを備えており、複数の測定部３０のそれぞれによって測定された輝度に基づいて発光駆動部２０を制御する。制御部４０の処理内容について以下に説明する。
【００２４】
制御部４０は、端子ＤＰＯから最も前段の測定部３０＿１の入力Ｐｉｎに、複数の測定部３０に輝度の測定開始を指示する測定開始信号を送信する。当該測定開始信号には、受光素子３１の動作設定（ＰＤのゲイン等）の内容が含まれている。
【００２５】
また、例えば、測定部３０が備える１つのシフトレジスタ３４が格納することが可能なデータ量が１６ｂｉｔである場合を考える。この場合、例えば、１０個の測定部３０の間の接続がカスケード接続であるとき、制御部４０は、前記測定開始信号として１６０ｂｉｔ分のデータを１０個の測定部３０に送信する。
【００２６】
このとき、制御部４０が最初に送信する１６ｂｉｔ分のデータが最も後段の測定部３０に設定されるデータであり、制御部４０が最後に送信する１６ｂｉｔ分のデータが最も前段の測定部３０＿１に設定されるデータである。また、隣接する２つの測定部３０の間の配線には、前記測定開始信号に含まれる内容のうち、その配線より後段の測定部３０のシフトレジスタ３４に格納されるデータを含む信号が流れる。
【００２７】
制御部４０は、前記測定開始信号を送信した後、端子ＥＮＰから配線ＥＮＰ１を介して各測定部３０にイネーブル信号Ｓ１を送信する。イネーブル信号Ｓ１とは、制御部４０が各測定部３０と通信することが可能であることを示す信号である。各測定部３０がイネーブル信号Ｓ１を受信すると、各測定部３０は、前記測定開始信号に含まれる内容をシフトレジスタ３４に記憶する。この後、各測定部３０は、前記測定開始信号に含まれる内容を内部レジスタ３３に記憶する。
【００２８】
制御部４０が各測定部３０にイネーブル信号Ｓ１を送信した後、制御部４０は、各測定部３０のシフトレジスタ３４に記憶されたデータを送り出すために、端子ＤＰＯから測定部３０＿１の入力Ｐｉｎに信号を送信する。これにより、各測定部３０のシフトレジスタ３４に記憶されたデータは、各測定部３０のシフトレジスタ３４から送り出される。
【００２９】
この後、制御部４０は、端子ＥＮＰから配線ＥＮＰ１を介して各測定部３０にイネーブル信号Ｓ１を再度送信することにより、測定部３０の内部レジスタ３３に記憶されている前記輝度のデータを測定部３０のシフトレジスタ３４に記憶させるように指示する。各測定部３０がイネーブル信号Ｓ１を受信すると、各測定部３０は、内部レジスタ３３に記憶されている前記輝度のデータを測定部３０のシフトレジスタ３４に記憶する。
【００３０】
制御部４０は、端子ＣＬＰから配線ＣＬＰ１を介して各測定部３０にクロック信号を送信する。各測定部３０がこのクロック信号を受信すると、各測定部３０のシフトレジスタ３４に記憶された前記輝度のデータが、最も後段の測定部３０の出力Ｐｏｕｔから制御部４０の端子ＤＰＩに送信される。このとき、端子ＤＰＩに最初に送信される１６ｂｉｔ分のデータが最も後段の測定部３０のシフトレジスタ３４に記憶された前記輝度のデータである。また、端子ＤＰＩに送信される１４５ｂｉｔ目から１６０ｂｉｔ目までのデータが最も前段の測定部３０＿１のシフトレジスタ３４に記憶された前記輝度のデータである。
【００３１】
以上により、隣接する２つの測定部３０の間は、前記測定開始信号が流れる配線によって接続される。これにより、測定部３０に前記測定開始信号を送信する制御部４０と測定部３０とを接続する配線の数を減らしつつ、制御部４０が各測定部３０に輝度の測定開始を指示することができるようにすることができる。
【００３２】
また、制御部４０は、各測定部３０から受信した前記輝度のデータに基づいて、各発光駆動部２０が駆動する複数の発光素子１１の輝度（出力）を指定する。具体的には、例えば、制御部４０は、発光駆動部２０毎に、複数の発光素子１１から出射される光の輝度がバックライト制御システム１の製造完了時の光の輝度と同一になるように、各発光駆動部２０が駆動する複数の発光素子１１の輝度を指定してもよい。
【００３３】
つまり、複数の発光素子１１の輝度は、発光駆動部２０毎に指定され、１つの発光駆動部２０が駆動する各発光素子１１の輝度は、バックライト制御システム１の製造完了時の光の輝度と同一になる。
【００３４】
また、バックライト制御システム１の製造完了時において、バックライト１０から所望の白色の光が出射されるように、赤色、緑色、青色の光をそれぞれ発光する３種類の発光素子１１の輝度を予め調整する。
【００３５】
このとき、複数の受光素子３１それぞれの受光感度には、ばらつきがある。このため、バックライト制御システム１の製造完了時に、バックライト制御システム１が備える受光素子３１を用いずにバックライト１０から所望の白色の光が出射されるように、各発光素子１１の輝度を予め調整する。また、発光素子１１の劣化にもばらつきがあるため、制御部４０は、発光駆動部２０毎に、発光素子１１の輝度を指定する必要がある。
【００３６】
これにより、発光素子１１が劣化することで発光素子１１の発光性能が低下しても、各発光素子１１から出射される光の輝度を、バックライト制御システム１の製造完了時の光の輝度と同一になるように維持することができる。
【００３７】
また、制御部４０は、端子ＥＮＤから最も前段の発光駆動部２０＿１の入力Ｄｉｎにイネーブル信号Ｓ２を送信する。イネーブル信号Ｓ２とは、制御部４０が各発光駆動部２０と通信することが可能であることを示す信号である。制御部４０は、発光駆動部２０＿１にイネーブル信号Ｓ２を送信することにより、複数の発光駆動部２０のうち発光駆動部２０＿１のみと通信することが可能になる。
【００３８】
制御部４０は、端子ＣＬＤから配線ＣＬＤ１を介して、発光駆動部２０＿１にクロック信号を送信する。発光駆動部２０＿１にこのクロック信号が送信されると、制御部４０は、端子ＤＤから配線ＤＤ１を介して、発光駆動部２０＿１に制御部４０が指定した輝度で発光素子１１を発光するように指示する発光制御信号を送信する。当該発光制御信号には、制御部４０によって指定された発光素子１１の輝度のデータ、及び発光素子１１の動作設定の内容が含まれている。なお、各発光駆動部２０が受信するデータ量は決まっている。
【００３９】
発光駆動部２０＿１は、制御部４０から前記発光制御信号を受信すると、制御部４０によって指定された輝度で発光素子１１を発光する。次に、発光駆動部２０＿１は、出力Ｄｏｕｔから後段の発光駆動部２０＿２の入力Ｄｉｎにイネーブル信号Ｓ２を送信する。つまり、発光駆動部２０＿１と発光駆動部２０＿２との間の配線には、イネーブル信号Ｓ２が流れる。発光駆動部２０＿１が発光駆動部２０＿２にイネーブル信号Ｓ２を送信することにより、制御部４０は、複数の発光駆動部２０のうち発光駆動部２０＿２のみと通信することが可能になる。
【００４０】
制御部４０は、発光駆動部２０＿１の場合と同様に、発光駆動部２０＿２に前記発光制御信号を送信する。発光駆動部２０＿２は、制御部４０から前記発光制御信号を受信すると、制御部４０によって指定された輝度で発光素子１１を発光する。以降の発光駆動部２０も同様に、制御部４０によって指定された輝度で発光素子１１を発光する。
【００４１】
このように、隣接する２つの発光駆動部２０の間は、イネーブル信号Ｓ２が流れる配線によって接続される。これにより、発光駆動部２０にイネーブル信号Ｓ２を送信する制御部４０と発光駆動部２０とを接続する配線の数を減らしつつ、制御部４０が各発光駆動部２０にイネーブル信号Ｓ２を送信することができるようにすることができる。
【００４２】
以上により、バックライト制御システム１では、前段の測定部３０の出力Ｐｏｕｔが後段の測定部３０の入力Ｐｉｎに接続されている、及び、前段の発光駆動部２０の出力Ｄｏｕｔが後段の発光駆動部２０の入力Ｄｉｎに接続されている。
【００４３】
ここで、例えば、制御部４０と発光駆動部２０、及び制御部４０と測定部３０とを接続する場合を考える。この場合、バックライト制御システム１の構成では、制御部４０と各発光駆動部２０、及び制御部４０と各測定部３０とが配線によって接続される場合と比べて、配線の数を減らすことができる。
【００４４】
また、配線の数を減らすことができるため、発光駆動部２０及び測定部３０が設けられた基板（図示せず）を多層基板にする必要がない。さらに、制御部４０の端子数も減らすことができるため、制御部４０のサイズを小さくすることができる。よって、バックライト制御システム１の配線構造を単純化することができ、バックライト制御システム１の製造コストを低減することができる。
【００４５】
〔実施形態２〕
図４は、本発明の実施形態２に係るバックライト制御システム２の内部構成を示す図である。なお、説明の便宜上、上記実施形態にて説明した部材と同じ機能を有する部材については、同じ符号を付記し、その説明を繰り返さない。
【００４６】
バックライト制御システム２は、図４に示すように、バックライト制御システム１と比べて、制御部４０が制御部４０ａに変更されており、各測定部３０と制御部４０ａとの間の接続関係が異なっている。ここでは、各測定部３０と制御部４０ａとの間の接続関係について、バックライト制御システム２がバックライト制御システム１とは異なっている部分についてのみ説明する。
【００４７】
制御部４０ａは、制御部４０と比べて、端子ＤＰＯを備えていない点が異なる。また、最も前段の測定部３０＿１の入力Ｐｉｎは、制御部４０ａの端子ＥＮＰと接続している。複数の測定部３０はそれぞれ、制御部４０ａの端子ＤＰＩから延びる配線ＤＰＩ１と接続している。制御部４０ａは、端子ＥＮＰから測定部３０＿１の入力Ｐｉｎに、前述したイネーブル信号Ｓ１を送信する。制御部４０ａは、測定部３０＿１にイネーブル信号Ｓ１を送信することにより、複数の測定部３０のうち測定部３０＿１のみと通信することが可能になる。
【００４８】
制御部４０ａは、端子ＤＰＩから測定部３０＿１に、測定部３０＿１に輝度の測定開始を指示する測定開始信号を送信する。測定部３０＿１は、当該測定開始信号を受信すると、前記測定開始信号に含まれる内容をシフトレジスタ３４に記憶する。
【００４９】
次に、制御部４０ａは、端子ＣＬＰから配線ＣＬＰ１を介して、測定部３０＿１にクロック信号を送信する。測定部３０＿１がこのクロック信号を受信すると、測定部３０＿１のシフトレジスタ３４に記憶されている、前記測定開始信号に含まれる内容を、測定部３０＿１の内部レジスタ３３に記憶する。そして、測定部３０＿１の内部レジスタ３３に記憶されている前記輝度のデータが測定部３０＿１のシフトレジスタ３４に記憶される。測定部３０＿１のシフトレジスタ３４に記憶された前記輝度のデータは、配線ＤＰＩ１を介して、端子ＤＰＩに入力される。
【００５０】
測定部３０＿１が制御部４０ａに前記輝度のデータを送信した後、測定部３０＿１は、測定部３０＿２にイネーブル信号Ｓ１を送信する。このとき、測定部３０＿１と測定部３０＿２との間の配線には、イネーブル信号Ｓ１が流れる。測定部３０＿１が測定部３０＿２にイネーブル信号Ｓ１を送信することにより、制御部４０ａは、複数の測定部３０のうち測定部３０＿２のみと通信することが可能になる。制御部４０ａは、端子ＤＰＩから測定部３０＿２に、測定部３０＿２に輝度の測定開始を指示する測定開始信号を送信する。
【００５１】
同様に、測定部３０＿２のシフトレジスタ３４に記憶された前記輝度のデータは、配線ＤＰＩ１を介して、端子ＤＰＩに入力される。測定部３０＿２より後段の測定部３０についても同様に、測定部３０のシフトレジスタ３４に記憶された前記輝度のデータは、配線ＤＰＩ１を介して、端子ＤＰＩに入力される。
【００５２】
以上により、隣接する２つの測定部３０の間は、イネーブル信号Ｓ１が流れる配線によって接続される。これにより、測定部３０にイネーブル信号Ｓ１を送信する制御部４０ａと測定部３０とを接続する配線の数を減らしつつ、制御部４０ａが各測定部３０に輝度の測定開始を指示することができるようにすることができる。
【００５３】
〔実施形態３〕
図５は、本発明の実施形態３に係るバックライト制御システム３の内部構成を示す図である。なお、説明の便宜上、上記実施形態にて説明した部材と同じ機能を有する部材については、同じ符号を付記し、その説明を繰り返さない。
【００５４】
バックライト制御システム３は、図５に示すように、バックライト制御システム２と比べて、測定部３０及び制御部４０ａがそれぞれ、測定部３０ａ及び制御部４０ｂに変更されている点が異なる。また、バックライト制御システム３は、バックライト制御システム２と比べて、各発光駆動部２０、各測定部３０ａ、及び制御部４０ｂの間の接続関係が異なっている。ここでは、各発光駆動部２０、各測定部３０ａ、及び制御部４０ｂの間の接続関係について、バックライト制御システム３がバックライト制御システム２とは異なっている部分についてのみ説明する。
【００５５】
測定部３０ａは、測定部３０と比べて、出力Ｐｏｕｔを備えていない点が異なり、制御部４０ｂは、制御部４０ａと比べて、端子ＥＮＰを備えていない点が異なる。また、最も前段の測定部３０ａ＿１の入力Ｐｉｎは、制御部４０ｂの端子ＥＮＤと接続しており、端子ＥＮＤと最も前段の発光駆動部２０＿１の入力Ｄｉｎとを接続している配線ＥＮＤ１から分岐する配線Ｂ１と接続されている。各測定部３０ａの入力Ｐｉｎは、隣接する２つの発光駆動部２０の間を接続している配線ＥＮＤ１から分岐する配線Ｂ１と接続されている。配線ＥＮＤ１には、後述するイネーブル信号Ｓ３が流れる。
【００５６】
制御部４０ｂは、端子ＥＮＤから発光駆動部２０及び測定部３０ａに、イネーブル信号Ｓ３を送信する。イネーブル信号Ｓ３とは、制御部４０ｂが各発光駆動部２０及び各測定部３０ａと通信することが可能であることを示す信号である。
【００５７】
ここで、発光駆動部２０がイネーブル信号Ｓ３を受信したときの動作は、バックライト制御システム１において、発光駆動部２０がイネーブル信号Ｓ２を受信したときの動作と同様である。また、測定部３０ａがイネーブル信号Ｓ３を受信したときの動作は、バックライト制御システム２において、測定部３０がイネーブル信号Ｓ１を受信したときの動作と同様である。ただし、測定部３０ａ＿１より後段の測定部３０ａがイネーブル信号Ｓ３を受信するとき、測定部３０ａ＿１より後段の測定部３０ａは、発光駆動部２０からイネーブル信号Ｓ３を受信する。
【００５８】
以上により、隣接する２つの発光駆動部２０の間が、イネーブル信号Ｓ３が流れる配線ＥＮＤ１によって接続され、測定部３０ａが、イネーブル信号Ｓ３が流れる配線ＥＮＤ１から分岐する配線Ｂ１と接続されている。これにより、例えば、識別番号毎に測定部３０ａを管理しなくても、発光駆動部２０にイネーブル信号を送信する制御部４０ｂは、イネーブル信号Ｓ３を受信した測定部３０ａのみと通信することができる。
【００５９】
また、隣接する２つの測定部３０ａの間において、前段の測定部３０ａの出力Ｐｏｕｔが後段の測定部３０ａの入力Ｐｉｎに接続されている場合と比べて、測定部３０ａの端子数を減らすことができる。さらに、制御部４０ｂと各測定部３０ａとを接続する必要がないため、配線の数を減らすことができる。発光駆動部２０においても測定部３０ａと同様の効果が得られる。
【００６０】
〔実施形態４〕
図６は、本発明の実施形態４に係るバックライト制御システム４の内部構成を示す図である。なお、説明の便宜上、上記実施形態にて説明した部材と同じ機能を有する部材については、同じ符号を付記し、その説明を繰り返さない。
【００６１】
バックライト制御システム４は、図６に示すように、バックライト制御システム３と比べて、測定部３０ａが測定部３０ｂに変更されており、各発光駆動部２０、各測定部３０ｂ、及び制御部４０ｂの間の接続関係が異なっている。ここでは、各発光駆動部２０、各測定部３０ｂ、及び制御部４０ｂの間の接続関係について、バックライト制御システム４がバックライト制御システム３とは異なっている部分についてのみ説明する。
【００６２】
測定部３０ｂは、測定部３０ａと比べて、入力Ｐｉｎを備えていない点が異なる。なお、図６には、測定部３０ｂが電源端子ＶＤＤ及び端子ＧＮＤを備えている様子が示されているが、前述した測定部３０・３０ａも電源端子ＶＤＤ及び端子ＧＮＤを備えている。図１、図４、及び図５では、電源端子ＶＤＤ及び端子ＧＮＤを省略している。
【００６３】
また、最も前段の測定部３０ｂ＿１の電源端子ＶＤＤは、制御部４０ｂの端子ＥＮＤと接続しており、端子ＥＮＤと最も前段の発光駆動部２０＿１の入力Ｄｉｎとを接続している配線ＥＮＤ１から分岐する配線Ｂ２と接続されている。各測定部３０ｂの電源端子ＶＤＤは、隣接する２つの発光駆動部２０の間を接続している配線ＥＮＤ１から分岐する配線Ｂ２と接続されている。配線ＥＮＤ１には、前述したイネーブル信号Ｓ３が流れる。
【００６４】
制御部４０ｂは、端子ＥＮＤから発光駆動部２０及び測定部３０ｂの電源端子ＶＤＤに、イネーブル信号Ｓ３を送信する。つまり、測定部３０ｂの電力は、配線ＥＮＤ１から分岐する配線Ｂ２によって供給される。ここで、測定部３０ｂが電源端子ＶＤＤにてイネーブル信号Ｓ３を受信したときの動作は、バックライト制御システム３において、測定部３０ａがイネーブル信号Ｓ３を受信したときの動作と同様である。なお、測定部３０ｂの端子ＧＮＤは、グランドに接続されている。
【００６５】
よって、測定部３０ｂは、イネーブル信号Ｓ３を受信するための端子の代わりに、電力を供給するための端子でイネーブル信号Ｓ３を受信する。よって、イネーブル信号Ｓ３を受信するための端子を備えない測定部３０ｂを用いてバックライト制御システム４を製造することができる。
【００６６】
〔実施形態５〕
図７は、本発明の実施形態５に係るバックライト制御システム５の内部構成を示す図である。なお、説明の便宜上、上記実施形態にて説明した部材と同じ機能を有する部材については、同じ符号を付記し、その説明を繰り返さない。
【００６７】
バックライト制御システム５は、図７に示すように、バックライト制御システム１と比べて、発光駆動部２０、測定部３０、及び制御部４０がそれぞれ、発光駆動部２０ａ、測定部３０ｃ、及び制御部４０ｃに変更されている点が異なる。また、バックライト制御システム５は、バックライト制御システム１と比べて、各発光駆動部２０ａ、各測定部３０ｃ、及び制御部４０ｃの間の接続関係が異なっている。
【００６８】
ここでは、各発光駆動部２０ａ、各測定部３０ｃ、及び制御部４０ｃの間の接続関係について、バックライト制御システム５がバックライト制御システム１とは異なっている部分についてのみ説明する。
【００６９】
発光駆動部２０ａは、図７に示すように、駆動回路２１、受信回路２２、及びインターフェース部２３を備えている。駆動回路２１は、複数の発光素子１１及びインターフェース部２３と接続しており、複数の発光素子１１を駆動する。受信回路２２は、測定部３０ｃと接続しており、測定部３０ｃからのデータを受信する。
【００７０】
測定部３０ｃは、測定部３０と比べて、シフトレジスタ３４を備えていない点、及び端子が２つのみ設けられている点が異なる。また、各測定部３０ｃは、各発光駆動部２０ａに接続されている。これにより、制御部４０ｃと測定部３０ｃとを直接接続する必要がない。よって、配線の数を減らすことができる。
【００７１】
制御部４０ｃは、制御部４０と比べて、端子ＤＰＯ・ＥＮＰ・ＣＬＰ・ＤＰＩを備えていない点が異なる。また、制御部４０ｃは、端子ＥＮＤから最も前段の発光駆動部２０ａ＿１の入力Ｄｉｎに前述したイネーブル信号Ｓ２を送信する。制御部４０ｃが発光駆動部２０ａ＿１にイネーブル信号Ｓ２を送信した後、制御部４０ｃは、端子ＣＬＤから配線ＣＬＤ１を介して、発光駆動部２０ａ＿１にクロック信号を送信する。発光駆動部２０ａ＿１にこのクロック信号が送信されると、制御部４０ｃは、端子ＤＤから配線ＤＤ１を介して、発光駆動部２０ａ＿１に制御信号を送信する。当該制御信号とは、発光駆動部２０ａに発光素子１１の発光、及び測定部３０ｃによって測定される輝度の測定開始を指示する信号である。
【００７２】
発光駆動部２０ａ＿１が前記制御信号を受信すると、インターフェース部２３は、駆動回路２１に複数の発光素子１１を駆動するように指示し、受信回路２２に測定部３０ｃからのデータを受信するように指示する。駆動回路２１は、インターフェース部２３から発光素子１１を駆動するように指示されると、複数の発光素子１１を駆動する。受信回路２２は、インターフェース部２３から、測定部３０ｃからのデータを受信するように指示されると、測定部３０ｃの内部レジスタ３３に記憶されている前記輝度のデータを、測定部３０ｃから受信する。
【００７３】
次に、制御部４０ｃが、端子ＣＬＤから配線ＣＬＤ１を介して、発光駆動部２０ａ＿１にクロック信号を再度送信する。発光駆動部２０ａ＿１にこのクロック信号が送信されると、前記輝度のデータは、配線ＤＤ１を介して端子ＤＤに入力される。つまり、前記輝度のデータは、発光駆動部２０ａ＿１を介して制御部４０ｃに送信される。これにより、制御部４０ｃと測定部３０ｃとを直接接続しなくても、前記輝度のデータを制御部４０ｃに送信することができる。制御部４０ｃは、発光駆動部２０ａ＿１から受信した前記輝度のデータに基づいて、発光駆動部２０ａ＿１が駆動する複数の発光素子１１の輝度を指定する。
【００７４】
制御部４０ｃは、発光駆動部２０ａ＿１が駆動する複数の発光素子１１の輝度を指定した後、端子ＣＬＤから配線ＣＬＤ１を介して、発光駆動部２０ａ＿１にクロック信号を再度送信する。発光駆動部２０ａ＿１にこのクロック信号が送信されると、制御部４０ｃは、発光駆動部２０ａ＿１に制御部４０ｃが指定した輝度で複数の発光素子１１を駆動するように指示する。
【００７５】
発光駆動部２０ａ＿１が制御部４０ｃによって指定された輝度で複数の発光素子１１を駆動するように指示されると、インターフェース部２３は、駆動回路２１に制御部４０ｃによって指定された輝度で複数の発光素子１１を駆動するように指示する。駆動回路２１は、インターフェース部２３から制御部４０ｃによって指定された輝度で発光素子１１を駆動するように指示されると、制御部４０ｃによって指定された輝度で複数の発光素子１１を駆動する。
【００７６】
次に、発光駆動部２０ａ＿１は、出力Ｄｏｕｔから後段の発光駆動部２０ａ＿２の入力Ｄｉｎにイネーブル信号Ｓ２を送信する。発光駆動部２０ａ＿１が発光駆動部２０ａ＿２にイネーブル信号Ｓ２を送信することにより、制御部４０ｃは、複数の発光駆動部２０ａのうち発光駆動部２０ａ＿２のみと通信することが可能になる。発光駆動部２０ａ＿１と同様に、以降の発光駆動部２０ａも同様に処理を行う。
【００７７】
以上により、発光駆動部２０ａは、測定部３０ｃからのデータを受信するための受信回路２２を有し、バックライト制御システム５は、発光駆動部２０ａに発光素子１１の発光及び輝度の測定開始を指示する制御信号を送信する制御部４０ｃを備える。これにより、制御部４０ｃと測定部３０ｃとを直接接続しなくても、測定部３０ｃに輝度の測定開始を指示することができる。よって、制御部４０ｃと測定部３０ｃとを接続する配線が必要ないため、配線の数を減らすことができる。
【００７８】
（変形例）
図８は、バックライト制御システム６の内部構成を示す図である。バックライト制御システム６は、図７に示すバックライト制御システム５の変形例である。バックライト制御システム６は、バックライト制御システム５と比べて測定部３０ｃが受光素子３１に変更されている点、及び発光駆動部２０ａが発光駆動部２０ｂに変更されている点が異なる。
【００７９】
発光駆動部２０ｂは、発光駆動部２０ａと比べて、受信回路２２を備えていない点及びＡＤ変換器２４を備えている点が異なる。ＡＤ変換器２４は、前述したＡＤ変換器３２と同一のものである。ＡＤ変換器２４は、受光素子３１から出力されるアナログデータをデジタルデータに変換し、変換したデジタルデータをインターフェース部２３に送信する。
【００８０】
受光素子３１は、発光駆動部２０ｂのＡＤ変換器２４、及び電源５０と接続されている。受光素子３１は、電源５０から電力を供給される。また、測定部３０ｃを受光素子３１に変更することにより、測定部３０ｃの端子数を減らすことができる。
【００８１】
さらに、受光素子３１は、全ての発光駆動部２０ｂに接続されていなくてもよい。つまり、受光素子３１と接続していない発光駆動部２０ｂが存在していてもよい。なお、１つの発光駆動部２０ｂに接続されている複数の発光素子１１と受光素子３１とをワンパッケージ化してもよい。
【００８２】
〔ソフトウェアによる実現例〕
バックライト制御システム１〜６の制御ブロック（特に制御部４０・４０ａ・４０ｂ・４０ｃ）は、集積回路（ＩＣチップ）等に形成された論理回路（ハードウェア）によって実現してもよいし、ソフトウェアによって実現してもよい。
【００８３】
後者の場合、バックライト制御システム１〜６は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８４】
〔まとめ〕
本発明の態様１に係るバックライト制御システム（１〜５）は、複数の発光素子（１１）により構成されるバックライト（１０）を制御するバックライト制御システムであって、複数の前記発光素子のそれぞれについて、指定された輝度で発光するように駆動する発光駆動部（２０・２０ａ）を複数備えており、複数の前記発光素子のそれぞれから発せられる光を受光する受光素子（３１）を有し、当該光の輝度を測定する測定部（３０・３０ａ・３０ｂ・３０ｃ）を複数備えており、隣接する２つの前記測定部の間において、前段の前記測定部の出力が後段の前記測定部の入力に接続されている構成を具備する。
【００８５】
上記構成によれば、前段の測定部の出力が後段の測定部の入力に接続されている。ここで、例えば、複数の測定部のそれぞれによって測定された輝度に基づいて発光駆動部を制御する制御部と測定部とを接続する場合を考える。この場合、上記構成では、制御部と各測定部とが配線によって接続される場合と比べて、配線の数を減らすことができる。よって、バックライト制御システムの配線構造を単純化することができ、バックライト制御システムの製造コストを低減することができる。
【００８６】
本発明の態様２に係るバックライト制御システム（２）は、上記態様１において、複数の前記測定部（３０）のそれぞれによって測定された輝度に基づいて、前記発光駆動部（２０）を制御する制御部（４０ａ）をさらに備え、前記制御部が前記測定部と通信することが可能であることを示すイネーブル信号が流れる配線によって、隣接する２つの前記測定部の間が接続されている構成をさらに具備することが好ましい。
【００８７】
上記構成によれば、隣接する２つの測定部の間が、イネーブル信号が流れる配線によって接続されている。これにより、例えば、測定部にイネーブル信号を送信する制御部と測定部とを接続する配線の数を減らしつつ、制御部が各測定部に輝度の測定開始を指示することができるようにすることができる。
【００８８】
本発明の態様３に係るバックライト制御システム（１〜５）は、複数の発光素子（１１）により構成されるバックライト（１０）を制御するバックライト制御システムであって、複数の前記発光素子のそれぞれについて、指定された輝度で発光するように駆動する発光駆動部（２０・２０ａ）を複数備えており、複数の前記発光素子のそれぞれから発せられる光を受光する受光素子（３１）を有し、当該光の輝度を測定する測定部（３０・３０ａ・３０ｂ・３０ｃ）を複数備えており、隣接する２つの前記発光駆動部の間において、前段の前記発光駆動部の出力が後段の前記発光駆動部の入力に接続されている構成を具備する。
【００８９】
上記構成によれば、前段の発光駆動部の出力が後段の発光駆動部の入力に接続されている。ここで、例えば、複数の測定部のそれぞれによって測定された輝度に基づいて発光駆動部を制御する制御部と発光駆動部とを接続する場合を考える。この場合、上記構成では、制御部と各発光駆動部とが配線によって接続される場合と比べて、配線の数を減らすことができる。よって、バックライト制御システムの配線構造を単純化することができ、バックライト制御システムの製造コストを低減することができる。
【００９０】
本発明の態様４に係るバックライト制御システム（３・４）は、上記態様３において、複数の前記測定部（３０ａ・３０ｂ）のそれぞれによって測定された輝度に基づいて、前記発光駆動部（２０）を制御する制御部（４０ｂ）をさらに備え、前記制御部が前記発光駆動部と通信することが可能であることを示すイネーブル信号が流れる配線によって、隣接する２つの前記発光駆動部の間が接続されており、前記測定部は、前記イネーブル信号が流れる配線（ＥＮＤ１）から分岐する配線（Ｂ１・Ｂ２）と接続されている構成をさらに具備することが好ましい。
【００９１】
上記構成によれば、隣接する２つの発光駆動部の間が、イネーブル信号が流れる配線によって接続され、測定部が、イネーブル信号が流れる配線から分岐する配線と接続されている。これにより、例えば、識別番号毎に測定部を管理しなくても、発光駆動部にイネーブル信号を送信する制御部は、イネーブル信号を受信した測定部のみと通信することができる。
【００９２】
また、隣接する２つの発光駆動部の間において、前段の発光駆動部の出力が後段の発光駆動部の入力に接続されている場合と比べて、発光駆動部の端子数を減らすことができる。さらに、制御部と各測定部とを接続する必要がないため、配線の数を減らすことができる。
【００９３】
本発明の態様５に係るバックライト制御システム（４）は、上記態様４において、前記測定部（３０ｂ）の電力は、前記イネーブル信号が流れる配線（ＥＮＤ１）から分岐する配線（Ｂ２）によって供給される構成をさらに具備することが好ましい。
【００９４】
上記構成によれば、測定部の電力は、イネーブル信号が流れる配線から分岐する配線によって供給される。これにより、測定部は、イネーブル信号を受信するための端子の代わりに、電力を供給するための端子でイネーブル信号を受信する。よって、イネーブル信号を受信するための端子を備えない測定部を用いてバックライト制御システムを製造することができる。
【００９５】
本発明の態様６に係るバックライト制御システム（５）は、上記態様３において、前記発光駆動部（２０ａ）は、前記発光素子（１１）を駆動するための駆動回路（２１）と、前記測定部（３０ｃ）からのデータを受信するための受信回路（２２）とを有する構成をさらに具備し、前記発光駆動部に前記発光素子の発光、及び前記測定部によって測定される輝度の測定開始を指示する制御信号を送信する制御部（４０ｃ）をさらに備えることが好ましい。
【００９６】
上記構成によれば、発光駆動部は、測定部からのデータを受信するための受信回路を有し、バックライト制御システムは、発光駆動部に発光素子の発光及び輝度の測定開始を指示する制御信号を送信する制御部を備える。これにより、制御部と測定部とを直接接続しなくても、測定部に輝度の測定開始を指示することができる。よって、制御部と測定部とを接続する配線が必要ないため、配線の数を減らすことができる。
【００９７】
本発明の態様７に係るバックライト制御システム（５）は、上記態様６において、前記測定部（３０ｃ）によって測定された輝度のデータは、前記発光駆動部（２０ａ）を介して前記制御部（４０ｃ）に送信される構成をさらに具備することが好ましい。
【００９８】
上記構成によれば、測定部によって測定された輝度のデータは、発光駆動部を介して制御部に送信される。これにより、制御部と測定部とを直接接続しなくても、輝度のデータを制御部に送信することができる。
【００９９】
本発明の態様８に係るバックライト制御システム（５）は、上記態様７において、前記発光駆動部（２０ａ）は、前記測定部（３０ｃ）と接続されている構成をさらに具備することが好ましい。
【０１００】
上記構成によれば、発光駆動部は、測定部と接続されている。これにより、制御部と測定部とを直接接続する必要がない。よって、配線の数を減らすことができる。
【０１０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０２】
１〜６  バックライト制御システム
１０  バックライト
１１  発光素子
２０、２０ａ  発光駆動部
２１  駆動回路
２２  受信回路
２３  インターフェース部
２４  ＡＤ変換器
３０、３０ａ、３０ｂ、３０ｃ  測定部
３１  受光素子
３２  ＡＤ変換器
３３  内部レジスタ
３４  シフトレジスタ
４０、４０ａ、４０ｂ、４０ｃ  制御部
５０  電源
Ｂ１、Ｂ２、ＣＬＤ１、ＣＬＰ１、ＤＤ１、ＤＰＩ１、ＥＮＤ１、ＥＮＰ１  配線
Ｄｉｎ、Ｐｉｎ  入力
Ｄｏｕｔ、Ｐｏｕｔ  出力
ＣＬＤ、ＣＬＰ、ＤＤ、ＤＰＩ、ＤＰＯ、ＥＮＤ、ＥＮＰ  端子
ＧＮＤ  端子
Ｓ１、Ｓ２、Ｓ３  イネーブル信号
ＶＤＤ  電源端子
【図１】
2019200934.tif 000003
【図２】
2019200934.tif 000004
【図３】
2019200934.tif 000005
【図４】
2019200934.tif 000006
【図５】
2019200934.tif 000007
【図６】
2019200934.tif 000008
【図７】
2019200934.tif 000009
【図８】
2019200934.tif 000010